(57)【要約】【課題】  ヒンジ部を通してセンサの配線を第１、第２の各ケースに引き回す必要がなく、センサの配線作業の簡素化を図ることができる開閉式電子機器を提供する。【解決手段】  ヒンジ部３の近傍に位置する箇所の第２ケース２側に設けられた第１磁石１１が対応したときにその磁力線に対し反応する第１センサ１３と、ヒンジ部３を中心に第２ケース２が第１ケース１に対し回転して第１磁石１１の磁力線の向きが直交する方向に変化したときにその変化した磁力線に対し反応する第２センサ１４とを、第１ケース１内に並べた状態で設けた。従って、ヒンジ部３を通して第１、第２の各センサ１３、１４の一方の配線を第１、第２の各ケース１、２に引き回す必要がなく、第１、第２の各センサ１３、１４を第１ケース１内で配線することができ、これにより第１、第２の各センサ１３、１４の配線作業の簡素化を図ることができる。【選択図】        図９
2010087782.tif 000002
【特許請求の範囲】
【請求項１】
第１の筐体と第２の筐体とをヒンジ部によって回転可能に連結した開閉式電子機器において、
前記ヒンジ部の近傍に位置する箇所の前記第２の筐体側に設けられて所定方向に磁力線を発生する１つの磁石と、
前記第１の筐体と前記第２の筐体とが重なり合って閉じた状態で前記１つの磁石が対応する箇所の前記第１の筐体に設けられて、前記１つの磁石が対応したときにその磁石の前記磁力線に反応する第１のセンサと、
前記第１の筐体における前記第１のセンサの近傍で、且つ前記１つの磁石の回転移動軌跡に対して対応する箇所に設けられて、前記１つの磁石が回転移動して前記磁力線の向きが変化したときにその変化した磁力線に反応する第２のセンサと、
を備えていることを特徴とする開閉式電子機器。
【請求項２】
前記ヒンジ部は、前記第１の筐体と前記第２の筐体とを折り畳んだ状態から開く方向の折り畳み方向に回転させるための第１回転軸と、この第１回転軸の回転方向に対して直交する方向に回転する第２回転軸と、前記第１回転軸と前記第２回転軸とを連結する連結部と、前記第１回転軸を前記第１の筐体に対して取り付けるための第１取付部と、前記第２回転軸を前記第２の筐体に対して取り付けるための第２取付部とを備え、
前記第２の筐体は、前記ヒンジ部の前記第１回転軸を中心に回動する補助筐体を備え、
前記１つの磁石は、前記第２回転軸の近傍に位置する箇所の前記補助筐体に設けられていることを特徴とする請求項１に記載の開閉式電子機器。
【請求項３】
前記第２の筐体と共に回転する前記第２回転軸には、前記１つの磁石の磁力線に対して異なる方向の磁力線を発生する他の磁石が、前記１つの磁石の回転移動軌跡に対して対応した状態で設けられていることを特徴とする請求項１または請求項２に記載の開閉式電子機器。
【請求項４】
前記第１の筐体には、前記他の磁石の磁力線に反応する第３のセンサが、前記第１、第２の各センサから離れた位置で、且つ前記第２回転軸を中心に前記他の磁石が回転移動する回転移動軌跡に対し対応して設けられていることを特徴とする請求項３に記載の開閉式電子機器。
【発明の詳細な説明】
【技術分野】
【０００１】
この発明は、携帯電話機などの開閉式電子機器に関する。
【背景技術】
【０００２】
例えば、開閉式の携帯電話機においては、特許文献１に記載されているように、表示筐体と操作筐体とを連結部によって折り畳み可能に連結し、表示筐体と操作筐体とを重ね合わせて折り畳んだ第１の閉状態と、表示筐体と操作筐体とを開いて展開した第２の開状態と、この第２の状態で表示筐体を外側に向けて回転させて折り畳んだ第３の逆閉状態とを、磁気センサによって識別するように構成されたものが知られている。
【特許文献１】特開２００５−１１７４２９
【０００３】
このような携帯電話機は、磁気センサが、連結部に設けられた磁石と、この磁石の回転移動軌跡に対して対応する箇所の表示筐体に設けられ、磁石が接近してその磁力線が検出面と垂直な状態になったときにその磁力線に反応する第１のセンサ（ホールセンサ）と、磁石の回転移動軌跡に対して対応する箇所の操作筐体に設けられ、磁石が接近してその磁力線が検出面と平行な状態になったときにその磁力線に反応する第２のセンサ(ＭＲセンサ)とを備えた構成になっている。
【０００４】
この携帯電話機では、表示筐体と操作筐体とを重ね合わせて折り畳んだ第１の閉状態のときに第１、第２の各センサがオン状態になり、表示筐体と操作筐体とを開いて展開させた第２の開状態のときに第２のセンサのみがオン状態になり、表示筐体を外側に向けて回転させて折り畳んだ第３の逆閉状態のときに第１のセンサのみがオン状態になることにより、第１〜第３の各状態を識別している。
【発明の開示】
【発明が解決しようとする課題】
【０００５】
しかしながら、このような従来の携帯電話機では、第１のセンサが表示筐体に設けられ、第２のセンサが操作筐体に設けられているので、第１、第２の各センサを配線する際、いずれか一方のセンサのリード線を表示筐体と操作筐体とのいずれか一方に導く必要がある。例えば、表示筐体に設けられた第１のセンサのリード線を操作筐体に導く際には、連結部を通してリード線を表示筐体から操作筐体に導く必要がある。このため、配線の引き回しが煩雑で、配線作業が面倒であるという問題がある。
【０００６】
この発明が解決しようとする課題は、ヒンジ部を通して第１、第２の各筐体にセンサの配線を引き回す必要がなく、センサの配線作業の簡素化を図ることができる開閉式電子機器を提供することである。
【課題を解決するための手段】
【０００７】
この発明は、上記課題を解決するために、次のような構成要素を備えている。
請求項１に記載の発明は、第１の筐体と第２の筐体とをヒンジ部によって回転可能に連結した開閉式電子機器において、前記ヒンジ部の近傍に位置する箇所の前記第２の筐体側に設けられて所定方向に磁力線を発生する１つの磁石と、前記第１の筐体と前記第２の筐体とが重なり合って閉じた状態で前記１つの磁石が対応する箇所の前記第１の筐体に設けられて、前記１つの磁石が対応したときにその磁石の前記磁力線に反応する第１のセンサと、前記第１の筐体における前記第１のセンサの近傍で、且つ前記１つの磁石の回転移動軌跡に対して対応する箇所に設けられて、前記１つの磁石が回転移動して前記磁力線の向きが変化したときにその変化した磁力線に反応する第２のセンサと、を備えていることを特徴とする開閉式電子機器である。
【０００８】
請求項２に記載の発明は、前記ヒンジ部が、前記第１の筐体と前記第２の筐体とを折り畳んだ状態から開く方向の折り畳み方向に回転させるための第１回転軸と、この第１回転軸の回転方向に対して直交する方向に回転する第２回転軸と、前記第１回転軸と前記第２回転軸とを連結する連結部と、前記第１回転軸を前記第１の筐体に対して取り付けるための第１取付部と、前記第２回転軸を前記第２の筐体に対して取り付けるための第２取付部とを備え、前記第２の筐体は、前記ヒンジ部の前記第１回転軸を中心に回動する補助筐体を備え、前記１つの磁石は、前記第２回転軸の近傍に位置する箇所の前記補助筐体に設けられていることを特徴とする請求項１に記載の開閉式電子機器である。
【０００９】
請求項３に記載の発明は、前記第２の筐体と共に回転する前記第２回転軸に、前記１つの磁石の磁力線に対して異なる方向の磁力線を発生する他の磁石が、前記１つの磁石の回転移動軌跡に対して対応した状態で設けられていることを特徴とする請求項１または請求項２に記載の開閉式電子機器である。
【００１０】
請求項４に記載の発明は、前記第１の筐体に、前記他の磁石の磁力線に反応する第３のセンサが、前記第１、第２の各センサから離れた位置で、且つ前記第２回転軸を中心に前記他の磁石が回転移動する回転移動軌跡に対し対応して設けられていることを特徴とする請求項３に記載の開閉式電子機器である。
【発明の効果】
【００１１】
この発明によれば、第２の筐体に設けられた１つの磁石が対応したときにその磁力線に対して反応する第１のセンサと、ヒンジ部を中心に第２の筐体が第１の筐体に対して回転し、これに伴って１つの磁石も回転し、その磁力線の向きが変化して対応したときにその変化した磁力線に対して反応する第２のセンサとを、第１の筐体に並べた状態で設けることができる。このため、ヒンジ部を通して第１の筐体と第２の筐体との両者にセンサの配線を引き回す必要がないので、センサの配線作業の簡素化を図ることができる。
【発明を実施するための最良の形態】
【００１２】
（実施形態１）
以下、図１〜図１３を参照して、この発明を携帯電話機に適用した実施形態１について説明する。
この携帯電話機は、図１および図２に示すように、第１ケース１と第２ケース２とをヒンジ部３によって折り畳み可能で、且つその折り畳み方向と直交する方向にも回転可能に連結した構成になっている。この場合、第１ケース１には、図１に示すように、キー入力部１ａが設けられており、第２ケース２には、表示部２ａが設けられている。
【００１３】
ヒンジ部３は、図３〜図６に示すように、第１ケース１と第２ケース２とを折り畳んだ状態から開く方向に回転させるための第１回転軸４、５と、この第１回転軸４、５の回転方向に対して直交する方向に回転する第２回転軸６と、第１回転軸４、５と第２回転軸６とを連結する連結部７と、第１回転軸４、５を第１ケース１に取り付けるための第１取付部８、９と、第２回転軸６を第２ケース２に取り付けるための第２取付部１０とを備えている。この場合、第２ケース２は、ヒンジ部３の第２回転軸６および連結部７を覆った状態で、第１回転軸４、５のみを中心に回動する補助ケース３ａを備えている。
【００１４】
これにより、この携帯電話機は、図２（ａ）〜図２（ｄ）に示すように、第１の閉状態、第２の開状態、第３の全開状態、第４の逆閉状態の各開閉動作をするように構成されている。すなわち、第１の閉状態は、図２（ａ）に示すように、キー入力部１ａと表示部２ａとが対面した状態で、第１ケース１と第２ケース２とが補助ケース３ａと共に重なり合って折り畳まれた状態である。第２の開状態は、図２（ｂ）に示すように、第１ケース１と第２ケース２とが補助ケース３ａと共にヒンジ部３の第１回転軸４、５を中心に回転して９０°の角度に開いた状態である。
【００１５】
第３の全開状態は、図２（ｃ）に示すように、第１ケース１と第２ケース２とが補助ケース３ａと共にヒンジ部３の第１回転軸４、５を中心に更に回転して約１６５°の角度に開いた全開状態である。第４の逆閉状態は、例えば、図２（ｂ）に示したように、第１ケース１と第２ケース２とがヒンジ部３の第１回転軸４、５を中心に回転して９０°の角度に開いた第２の開状態で、第２ケース２が補助ケース３ａに対してヒンジ部３の第２回転軸６を中心に１８０°回転し、図２（ｄ）に示すように、キー入力部１ａと表示部２ａとが対面せずに、第１ケース１と第２ケース２とが補助ケース３ａと共に重なり合って折り畳まれた逆向きの閉状態である。
【００１６】
ところで、この携帯電話機は、図１に示すように、第１〜第４の各状態を検出するための位置検出手段を備えている。この位置検出手段は、図３〜図６に示すように、第１磁石１１と、第２磁石１２と、第１センサ１３と、第２センサ１４とを備えている。第１磁石１１は、図７に示すように、その厚み方向に沿って磁力線を発生するものであり、図９に示すように、ヒンジ部３における連結部７の近傍に位置する箇所の第２ケース２の補助ケース３ａ内に設けられ、ヒンジ部３の第１回転軸４、５を中心として補助ケース３ａと共に回転移動するように構成されている。
【００１７】
第２磁石１２は、第１磁石１１と同様、その厚み方向に沿って磁力線を発生するものであり、図３〜図９に示すように、第２ケース２の補助ケース３ａ内において、ヒンジ部３の第１回転軸４、５を中心とする第１磁石１１の回転移動軌跡に対して対応する状態で、第２回転軸６に設けられている。この場合、第２磁石１２は、図５および図６に示すように、第２回転軸６に設けられた取付片１２ａに取り付けられて、第１回転軸４、５を中心とする第１磁石１１の回転移動軌跡に対して対応する位置に配置されている。
【００１８】
すなわち、この第２磁石１２は、図９に示すように、第１ケース１と第２ケース２とが補助ケース３ａと共に重なり合って折り畳まれた第１の閉じ状態で、第１回転軸４、５を中心とする第１磁石１１の回転移動軌跡上において第１磁石１１に対して９０°の角度、時計回りに回転した位置に配置されて第１磁石１１に対し直交していることにより、第１磁石１１の磁力線に対して第２磁石１２の磁力線が常に直交する状態で、補助ケース３ａ内に配置されている。
【００１９】
第１センサ１３は、図８（ａ）に示すように、検出面１３ａに対して垂直な磁力線に反応するホール素子からなっている。この第１センサ１３は、図９に示すように、第１ケース１と第２ケース２とを重ね合わせて閉じた状態のときに、第１磁石１１が対応する箇所の第１ケース１内に設けられて、第１磁石１１が接近して対応したときにその磁力線に反応するように構成されている。
【００２０】
第２センサ１４は、図８(ｂ)に示すように、検出面１４ａに対して平行な磁力線に反応する磁気抵抗素子（ＭＲ素子：Magneto Resistance素子）からなっている。この第２センサ１４は、図９に示すように、第１ケース１と第２ケース２とを重ね合わせて閉じた状態のときに、第２磁石１２に対応する第１ケース１内における第１センサ１３の近傍で、且つ第１回転軸４、５を中心とする第１磁石１１の回転移動軌跡に対して対応する箇所に設けられ、第２磁石１２が対応したときにその磁力線に反応すると共に、第１磁石１１が９０°の角度、回転移動して対応したときにその磁力線にも反応するように構成されている（図１０参照）。
【００２１】
すなわち、この第２センサ１４は、図９に示すように、第１ケース１と第２ケース２とが重なり合って閉じた状態のときに、第２磁石１２の磁力線に反応するほか、図１０に示すように、第１ケース１と第２ケース２とがヒンジ部３の第１回転軸４、５を中心に回転して９０°の角度に開いたときに、第１磁石１１が第２ケース２の補助ケース３ａと共に回転移動して第２センサ１４に対応し、この第１磁石１１の磁力線が９０°回転して磁力線の向きが変化することにより、この変化した第１磁石１１の磁力線にも反応するように構成されている。
【００２２】
次に、この携帯電話機の作用について説明する。
まず、図２（ａ）に示すように、第１ケース１のキー入力部１ａと第２ケース２の表示部２ａとを対面させた状態で、第１ケース１と第２ケース２とを補助ケース３ａと共に重ね合わせて折り畳むと、図９に示すように、第１センサ１３に第１磁石１１が対応し、第２センサ１４に第２磁石１２が対応する。
【００２３】
このときには、第１磁石１１が第１センサ１３に接近して対応することにより、この第１磁石１１の磁力線が第１センサ１３の検出面１３ａに対して垂直な状態になるので、第１センサ１３が第１磁石１１の磁力線に反応してオンになる（図１３参照）。また、第２磁石１２は第２センサ１４に接近して対応することにより、この第２磁石１２の磁力線が第２センサ１４の検出面１４ａに対して平行な状態になるので、第２センサ１４が第２磁石１２の磁力線に反応してオンになる（図１３参照）。これにより、キー入力部１ａと表示部２ａとが対面した状態で、第１ケース１と第２ケース２とが重なり合って折り畳まれた第１の閉状態であることを識別する。
【００２４】
また、図２（ｂ）に示すように、ヒンジ部３の第１回転軸４、５を中心に第１ケース１と第２ケース２とが補助ケース３ａと共に回転して９０°の角度に開くと、図１０に示すように、第１磁石１１が補助ケース３ａと共に時計回りに回転して第２センサ１４に接近し、第２磁石１２が補助ケース３ａと共に時計回りに回転して第２センサ１４から離れる。このときには、図１０に示すように、第１磁石１１が時計回りに９０°回転するので、第１磁石１１が起立した状態で対応し、その磁力線の方向が９０°回転して第２センサ１４の検出面１４ａに対して平行な状態になる。
【００２５】
このため、第２センサ１４が第１磁石１１の磁力線に反応してオンになる（図１３参照）。このときには、第１、第２の磁石１１、１２が第１センサ１３から離れて、第１センサ１３が第１、第２の磁石１１、１２のいずれの磁力線にも反応しないため、オフになる（図１３参照）。これにより、図２(ｂ)に示すように、キー入力部１ａと表示部２ａとが対面した状態で、第１ケース１と第２ケース２とが補助ケース３ａと共にヒンジ部３の第１回転軸４、５を中心に回転して９０°の角度に開いた第２の開状態であることを識別する。
【００２６】
また、図２（ｃ）に示すように、ヒンジ部３の第１回転軸４、５を中心に第１ケース１と第２ケース２とを更に回転させて約１６５°の角度に開くと、図１１に示すように、第１磁石１１が補助ケース３ａと共に時計回りに回転して第２センサ１４から離れ、第２磁石１２が補助ケース３ａと共に時計回りに回転して第１センサ１３側に向けて移動する。このときには、第１磁石１１が時計回りに回転移動して約１６５°の角度に回転移動するので、第２センサ１４から離れると共に、第２磁石１２が第１センサ１３側に向けて回転移動するが、第１センサ１３に十分に接近せず、第１センサ１３から離れている。
【００２７】
このため、第１センサ１３は第１、第２の磁石１１、１２のいずれの磁力線にも反応せずに、オフになる（図１３参照）。また、第２センサ１４は第１、第２の磁石１１、１２のいずれの磁力線にも反応せずに、オフになる（図１３参照）。これにより、図２(ｃ)に示すように、第１ケース１と第２ケース２とがヒンジ部３の第１回転軸４、５を中心に回転してほぼ１６５°の角度に開いた第３の全開状態であることを識別する。
【００２８】
さらに、図２（ｂ）に示したように、ヒンジ部３の第１回転軸４、５を中心に第１ケース１と第２ケース２とが補助ケース３ａと共に９０°の角度に開いた第２の開状態で、第２ケース２が補助ケース３ａに対してヒンジ部３の第２回転軸６を中心に１８０°回転し、これに伴って第２磁石１２のみが回転移動して、キー入力部１ａと表示部２ａとが対面せず、この後、図２（ｄ）に示すように、第２ケース２が補助ケース３ａと共にヒンジ部３の第１回転軸４、５を中心に回転して重ね合わされて折り畳まれると、図１２に示すように、第２磁石１２が第１、第２の各センサ１３、１４から離れ（図１２では図示せず）、第１磁石１１が第１センサ１３に接近して対応する。
【００２９】
このため、第１磁石１１の磁力線が第１センサ１３の検出面１３ａに対して垂直な状態になり、第１センサ１３が第１磁石１１の磁力線に反応してオンになる（図１３参照）。このときには、第２センサ１４が第１、第２の磁石１１、１２のいずれの磁力線にも反応せずにオフになる（図１３参照）。これにより、図２(ｄ)に示すように、キー入力部１ａと表示部２ａとが対面しない状態で、第１ケース１と第２ケース２とが補助ケース３ａと共に重なり合って折り畳まれた第４の逆閉状態であることを識別する。すなわち、第１、第２の各センサ１３、１４による検出状態が第１〜第４の各開閉状態ごとに異なっていることにより、第１〜第４の各開閉状態を識別することができる。
【００３０】
このように、この携帯電話機によれば、ヒンジ部３の近傍に位置する箇所の第２ケース２の補助ケース３ａ内に設けられた第１磁石１１が対応したときにその磁力線に対して反応する第１センサ１３と、ヒンジ部３を中心に第１ケース１に対して第２ケース２が回転して第１磁石１１の磁力線の向きが直交する方向に変化して対応したときにその変化した磁力線に対して反応する第２センサ１４とを、第１ケース１内に並べた状態で設けているので、ヒンジ部３を通して第１、第２の各センサ１３、１４の一方の配線を第１ケース１と第２ケース２との両方に引き回す必要がなく、第１、第２の各センサ１３、１４を第１ケース１内で配線することができ、これにより第１、第２の各センサ１３、１４の配線作業の簡素化を図ることができる。
【００３１】
この場合、ヒンジ部３は、第１ケース１と第２ケース２とを折り畳んだ状態から開く方向の折り畳み方向に回転させるための第１回転軸４、５と、この第１回転軸４、５の回転方向に対して直交する方向に回転する第２回転軸６と、第１回転軸４、５と第２回転軸６とを連結する連結部７と備え、第２ケース２が、第２回転軸６および連結部７を覆って第１回転軸４、５を中心に回動する補助ケース３ａを備えているので、ヒンジ部３によって第１ケース１と第２ケース２とを折り畳み方向と、この折り畳み方向に対して直交する方向にも回転させることができ、これにより第１の閉状態、第２の開状態、第３の全開状態、第４の逆閉状態の各状態に開閉動作させることができる。
【００３２】
また、この携帯電話機では、第１磁石１１が第２回転軸６の近傍に位置する箇所の第２ケース２の補助ケース３ａ内に設けられているので、ヒンジ部３の第１回転軸４、５を中心に第１ケース１と第２ケース２とを回転させて９０°の角度に開いたときに、第１磁石１１がその磁力線によって第２センサ１４を反応させることができる。すなわち、第１ケース１と第２ケース２とがヒンジ部３の第１回転軸４、５を中心に回転して９０°の角度に開いたときに、第１磁石１１が第２ケース２の補助ケース３ａと共に回転移動して第２センサ１４に対応し、この第１磁石１１の磁力線が９０°回転して磁力線の向きが９０°変化することにより、この９０°変化した磁力線で第２センサ１４を反応させることができる。
【００３３】
さらに、この携帯電話機では、第２ケース２と共に回転するヒンジ部３の第２回転軸６に、第１磁石１１の磁力線に対して直交する方向の磁力線を発生する第２磁石１２が、第１回転軸４、５を中心とする第１磁石１１の回転移動軌跡に対して対応させた状態で設けられているので、第１の閉状態、第２の開状態、第３の全開状態、第４の逆閉状態の各状態を識別することができる。すなわち、第１磁石１１によって第１センサ１３がオンし、第２磁石１２によって第２センサ１４がオンしていることにより、キー入力部１ａと表示部２ａとが対面した状態で、第１ケース１と第２ケース２とが重なり合って折り畳まれた第１の閉状態であることを識別することができる。
【００３４】
また、第１センサ１３がオフで、第２センサ１４がオンしていることにより、キー入力部１ａと表示部２ａとが対面した状態で、第１ケース１と第２ケース２とがヒンジ部３の第１回転軸４、５を中心に回転して９０°の角度に開いた第２の開状態であることを識別することができる。このように第２ケース２が第１ケース１に対して９０°の角度に開いたときには、ワンセグを自動的に起動させたり、カメラが搭載されている機種では、カメラによる撮影モードに自動的に切り替えたりすることができる。
【００３５】
また、第１センサ１３がオフになり、第２センサ１４もオフになっていることにより、第１ケース１と第２ケース２とがヒンジ部３の第１回転軸４、５を中心に回転してほぼ１６５°の角度に開いた第３の全開状態であることを識別することができる。さらに、第１センサ１３がオンになり、第２センサ１４がオフになっていることにより、キー入力部１ａと表示部２ａとが対面しない状態で、第１ケース１と第２ケース２とが互いに重なり合って折り畳まれた第４の逆閉状態であることを識別することができる。これにより、第１、第２の各センサ１３、１４による検出状態が第１〜第４の各開閉状態ごとに異なっているので、第１〜第４の各開閉状態を確実に識別することができる。
【００３６】
（実施形態２）
次に、図１４〜図１９を参照して、この発明を携帯電話機に適用した実施形態２について説明する。なお、図１〜図１３に示された実施形態１と同一部分には、同一符号を付して説明する。
この携帯電話機は、図１５に示すように、第１磁石２１と第２磁石２２とがその厚み方向と直交する方向に磁力線を発生し、これに伴って第１センサ２３と第２センサ２４との設置位置を変更した構成であり、これ以外は実施形態１とほぼ同じ構成になっている。
【００３７】
すなわち、第１磁石２１は、図１５に示すように、その厚み方向と直交する方向、つまり面方向に磁力線を発生するものであり、実施形態１と同様、ヒンジ部３における連結部７の近傍に位置する箇所の第２ケース２の補助ケース３ａ内に設けられ、図１４に示すように、ヒンジ部３の第１回転軸４、５を中心として補助ケース３ａと共に回転移動するように構成されている。第２磁石２２は、第１磁石２１と同様、その厚み方向と直交する方向、つまり面方向に磁力線を発生するものであり、図１４に示すように、第１回転軸４、５を中心とする第１磁石２１の回転移動軌跡に対して対応する状態で、ヒンジ部３における第２回転軸６に設けられている。
【００３８】
この場合、第２磁石２２は、実施形態１と同様、第２回転軸６に設けられた取付片１２ａに取り付けられて第１磁石２１の回転移動軌跡に対して対応する位置に配置されている。すなわち、この第２磁石２２は、図１４に示すように、第１ケース１と第２ケース２とが補助ケース３ａと共に重なり合って折り畳まれた第１の閉じ状態で、第１回転軸４、５を中心とする第１磁石２１の回転移動軌跡上において第１磁石２１に対して９０°の角度、時計回りに回転した位置に配置されて、第１磁石２１に対して直交していることにより、第１磁石２１の磁力線に対して第２磁石２２の磁力線が常に直交する状態で、補助ケース３ａ内に配置されている。
【００３９】
第１センサ２３は、図１６（ａ）に示すように、検出面２３ａに対して平行な磁力線に反応する磁気抵抗素子（ＭＲ素子：Magneto Resistance素子）からなっている。この第１センサ２３は、図１４に示すように、第１ケース１と第２ケース２とを重ね合わせて閉じた状態のときに、第１磁石２１が対応する第１ケース１内の箇所に設けられて、第１磁石２１が接近して対応したときにその磁力線に反応するように構成されている。
【００４０】
第２センサ２４は、図１６(ｂ)に示すように、検出面２４ａに対して垂直な磁力線に反応するホール素子からなっている。この第２センサ２４は、図１４に示すように、第１ケース１と第２ケース２とを重ね合わせて閉じた状態のときに、第２磁石２２に対応する第１ケース１内における第１センサ２３の近傍で、且つヒンジ部３の第１回転軸４、５を中心とする第１磁石２１の回転移動軌跡に対して対応する箇所に設けられ、第２磁石２２が対応したときにその磁力線に反応すると共に、第１磁石２１が９０°の角度、回転移動して対応したときにその磁力線にも反応するように構成されている。
【００４１】
すなわち、この第２センサ２４は、図１４に示すように、第１ケース１と第２ケース２とが重なり合って閉じた状態のときに、第２磁石２２の磁力線に反応するほか、図１７に示すように、第１ケース１と第２ケース２とがヒンジ部３の第１回転軸４、５を中心に回転して９０°の角度に開いたときに、第１磁石２１が第２ケース２の補助ケース３ａと共に回転移動して第２センサ２４に対応し、この第１磁石２１の磁力線が９０°回転して磁力線の向きが変化することにより、この変化した第１磁石２１の磁力線にも反応するように構成されている。
【００４２】
次に、この携帯電話機の作用について説明する。
まず、図２（ａ）に示したように、第１ケース１のキー入力部１ａと第２ケース２の表示部２ａとを対面させた状態で、第１ケース１と第２ケース２とを補助ケース３ａと共に重ね合わせて折り畳むと、図１４に示すように、第１磁石２１が第１センサ２３に対応し、第２磁石２２が第２センサ２４に対応する。
【００４３】
このときには、第１磁石２１が第１センサ２３に接近して対応することにより、この第１磁石２１の磁力線が第１センサ２３の検出面２３ａに対して平行な状態になるので、第１センサ２３が第１磁石２１の磁力線に反応してオンになる。また、第２磁石２２は第２センサ２４に接近して対応することにより、この第２磁石２２の磁力線が第２センサ２４の検出面２４ａに対して垂直な状態になるので、第２センサ２４が第２磁石２２の磁力線に反応してオンになる。これにより、キー入力部１ａと表示部２ａとが対面した状態で、第１ケース１と第２ケース２とが重なり合って折り畳まれた第１の閉状態であることを識別する。
【００４４】
また、図２（ｂ）に示したように、ヒンジ部３の第１回転軸４、５を中心に第１ケース１と第２ケース２とが補助ケース３ａと共に回転して９０°の角度に開くと、図１７に示すように、第１磁石２１が補助ケース３ａと共に時計回りに回転して第２センサ２４に接近し、第２磁石２２が補助ケース３ａと共に時計回りに回転して第２センサ２４から離れる。このときには、図１７に示すように、第１磁石２１が時計回りに９０°回転するので、第１磁石２１が起立した状態で対応し、その磁力線の方向が９０°回転して第２センサ２４の検出面２４ａに対して垂直な状態になる。
【００４５】
このため、第２センサ２４が第１磁石２１の磁力線に反応してオンになる。このときには、第１、第２の磁石２１、２２が第１センサ２３から離れて、第１センサ２３が第１、第２の磁石２１、２２のいずれの磁力線にも反応しないため、オフになる。これにより、図２(ｂ)に示したように、キー入力部１ａと表示部２ａとが対面した状態で、第１ケース１と第２ケース２とがヒンジ部３の第１回転軸４、５を中心に回転して９０°の角度に開いた第２の開状態であることを識別する。
【００４６】
また、図２（ｃ）に示したように、ヒンジ部３の第１回転軸４、５を中心に第１ケース１と第２ケース２とを更に回転させて約１６５°の角度に開くと、図１８に示すように、第１磁石２１が補助ケース３ａと共に時計回りに回転して第２センサ２４から離れ、第２磁石２２が補助ケース３ａと共に時計回りに回転して第１センサ２３側に向けて回転移動する。このときには、第１磁石２１が時計回りに回転移動して約１６５°の角度に回転移動するので、第２磁石２２が第１センサ２３側に向けて回転移動するが、第１センサ１３に十分に接近せず、第２センサ２４から離れた状態になる。
【００４７】
このため、第１センサ２３は第２磁石２２の磁力線に反応せずに、オフになる。また、第２センサ２４も第１磁石２１の磁力線に反応せずに、オフになる。これにより、図２(ｃ)に示したように、第１ケース１と第２ケース２とがヒンジ部３の第１回転軸４、５を中心に回転してほぼ１６５°の角度に開いた第３の全開状態であることを識別する。
【００４８】
さらに、図２（ｂ）に示したように、ヒンジ部３の第１回転軸４、５を中心に第１ケース１と第２ケース２とが補助ケース３ａと共に９０°の角度に開いた第２の開状態で、第２ケース２が補助ケース３ａに対してヒンジ部３の第２回転軸６を中心に１８０°回転し、これに伴って第２磁石２２のみが回転移動して、キー入力部１ａと表示部２ａとが対面せず、この後、図２（ｄ）に示したように、第２ケース２が補助ケース３ａと共にヒンジ部３の第１回転軸４、５を中心に回転して重ね合わされて折り畳まれると、図１９に示すように、第２磁石２２が第１、第２の各センサ２３、２４から離れ（図１９では図示せず）、第１磁石２１が第１センサ２３に接近して対応する。
【００４９】
このため、第１磁石２１の磁力線が第１センサ２３の検出面２３ａに対して垂直な状態になり、第１センサ２３が第１磁石２１の磁力線に反応してオンになる。このときには、第２センサ２４が第１、第２の磁石２１、２２のいずれの磁力線にも反応せずにオフになる。これにより、図２(ｄ)に示したように、キー入力部１ａと表示部２ａとが対面しない状態で、第１ケース１と第２ケース２とが補助ケース３ａと共に重なり合って折り畳まれた第４の逆閉状態であることを識別する。すなわち、第１、第２の各センサ２３、２４による検出状態が第１〜第４の各開閉状態ごとに異なっていることにより、第１〜第４の各開閉状態を識別することができる。
【００５０】
このように、この携帯電話機においても、ヒンジ部３の近傍に位置する箇所の第２ケース２の補助ケース３ａ内に設けられた第１磁石２１が対応したときにその磁力線に対して反応する第１センサ２３と、ヒンジ部３を中心に第１ケース１に対して第２ケース２が回転して第１磁石２１の磁力線の向きが直交する方向に変化して対応したときにその変化した磁力線に対し反応する第２センサ２４とを、第１ケース１内に並べた状態で設けているので、実施形態１と同様、ヒンジ部３を通して第１、第２の各センサ２３、２４の一方の配線を第１ケース１と第２ケース２との両方に引き回す必要がなく、第１、第２の各センサ２３、２４を第１ケース１内で配線することができ、これにより第１、第２の各センサ２３、２４の配線作業の簡素化を図ることができる。
【００５１】
この場合にも、第２ケース２と共に回転するヒンジ部３の第２回転軸６に、第１磁石２１の磁力線に対して直交する方向の磁力線を発生する第２磁石２２が、第１回転軸４、５を中心とする第１磁石２１の回転移動軌跡に対して対応させた状態で設けられているので、第１の閉状態、第２の開状態、第３の全開状態、第４の逆閉状態の各状態を識別することができる。すなわち、第１磁石２１によって第１センサ２３がオンし、第２磁石２２によって第２センサ２４がオンしていることにより、キー入力部１ａと表示部２ａとが対面した状態で、第１ケース１と第２ケース２とが重なり合って折り畳まれた第１の閉状態であることを識別することができる。
【００５２】
また、第１センサ２３がオフで、第２センサ２４がオンしていることにより、キー入力部１ａと表示部２ａとが対面した状態で、第１ケース１と第２ケース２とがヒンジ部３の第１回転軸４、５を中心に回転して９０°の角度に開いた第２の開状態であることを識別することができる。このように第２ケース２が第１ケース１に対して９０°の角度に開いたときには、実施形態１と同様、ワンセグを自動的に起動させたり、カメラが搭載されている機種では、カメラによる撮影モードに自動的に切り替えたりすることができる。
【００５３】
さらに、第１センサ２３がオフになり、第２センサ２４もオフになっていることにより、第１ケース１と第２ケース２とがヒンジ部３の第１回転軸４、５を中心に回転してほぼ１６５°の角度に開いた第３の全開状態であることを識別することができる。また、第１センサ２３がオンになり、第２センサ２４がオフになっていることにより、キー入力部１ａと表示部２ａとが対面しない状態で、第１ケース１と第２ケース２とが補助ケース３ａと共に重なり合って折り畳まれた第４の逆閉状態であることを識別することができる。これにより、第１、第２の各センサ２３、２４による検出状態が第１〜第４の各開閉状態ごとに異なっているので、第１〜第４の各開閉状態を確実に識別することができる。
【００５４】
（実施形態３）
次に、図２０〜図２７を参照して、この発明を携帯電話機に適用した実施形態３について説明する。この場合にも、図１〜図１３に示された実施形態１と同一部分に、同一符号を付して説明する。
この携帯電話機は、図２０に示すように、第１磁石３１と第２磁石３２との設置位置が実施形態１と異なり、これに伴って第１センサ３３と第２センサ３４との設置位置を変更した構成であり、これ以外は実施形態１とほぼ同じ構成になっている。
【００５５】
この場合、第１磁石３１と第２磁石３２とは、図２１に示すように、それぞれ厚み方向に磁力線を発生するものである。そして、第１磁石３１は、ヒンジ部３における連結部７の近傍に位置する箇所の第２ケース２の補助ケース３ａ内に設けられ、ヒンジ部３の第１回転軸４、５を中心として補助ケース３ａと共に回転移動するように構成されている。第２磁石３２は、実施形態１とほぼ同様、ヒンジ部３の第１回転軸４、５を中心とする第１磁石３１の回転移動軌跡に対して対応する状態で、ヒンジ部３の第２回転軸６に設けられている。
【００５６】
また、この第２磁石３２は、第２回転軸６に４５°の角度に傾いて設けられた取付片１２ａ（図６参照）に取り付けられて、図２０に示すように、第１ケース１と第２ケース２とが補助ケース３ａと共に重なり合って折り畳まれただい１の閉じ状態で、第１回転軸４、５を中心とする第１磁石３１の回転移動軌跡に対して対応している。すなわち、この第２磁石３２は、図２０に示すように、第１回転軸４、５を中心とする第１磁石３１の回転移動軌跡上において第１磁石３１に対して４５°の角度、時計回り方向に回転した位置に配置されて、第１磁石３１に対して４５°傾斜していることにより、第１磁石３１の磁力線に対して第２磁石３２の磁力線が常に４５°傾いた状態で、補助ケース３ａ内に配置されている。
【００５７】
第１センサ３３と第２センサ３４とは、図２２に示すように、各検出面３３ａ、３４ａに対して垂直な磁力線に反応するホール素子からなっている。そして、第１センサ３３は、図２０に示すように、第１ケース１のキー入力部１ａと第２ケース２の表示部２ａとが対面した状態で、第１ケース１と第２ケース２とを補助ケース３ａと共に重ね合わせて閉じたときに、第１磁石３１が対応する箇所の第１ケース１内に設けられて、第１磁石３１が接近して対応したときにその磁力線に反応するように構成されている。
【００５８】
第２センサ３４は、図２０に示すように、第１ケース１と第２ケース２とを補助ケース３ａと共に重ね合わせて閉じた状態のときに、第２磁石３２に対応する第１ケース１内における第１センサ３３の近傍で、且つ第１回転軸４、５を中心とする第１磁石３１の回転移動軌跡に対して対応する箇所に設けられ、第２磁石３２が対応したときにその磁力線に反応するように構成されている。
【００５９】
この場合、第２センサ３４は、図２０に示すように、第１ケース１と第２ケース２とが補助ケース３ａと共に重なり合って閉じた状態のときに、第２磁石３２の磁力線に反応するほか、図２３に示すように、第１ケース１と第２ケース２とが補助ケース３ａと共にヒンジ部３の第１回転軸４、５を中心に回転して４５°の角度に開いたときに、第１磁石３１が回転移動して第２センサ３４に対応し、この第１磁石３１の磁力線が４５°回転して磁力線の向きが変化することにより、この変化した第１磁石３１の磁力線にも反応するように構成されている。
【００６０】
次に、この携帯電話機の作用について説明する。
まず、図２（ａ）に示したように、第１ケース１のキー入力部１ａと第２ケース２の表示部２ａとを対面させた状態で、第１ケース１と第２ケース２とを補助ケース３ａと共に重ね合わせて折り畳むと、図２０に示すように、第１磁石３１が第１センサ３３に対応し、第２磁石３２が第２センサ３４に対応する。
【００６１】
このときには、第１磁石３１が第１センサ３３に接近して対応することにより、この第１磁石３１の磁力線が第１センサ３３の検出面に対して垂直な状態になるので、第１センサ３３が第１磁石３１の磁力線に反応してオンになる（図２７参照）。また、第２磁石３２は第２センサ３４に接近して対応することにより、この第２磁石３２の磁力線が第２センサ３４の検出面に対して垂直な状態になるので、第２センサ３４が第２磁石３２の磁力線に反応してオンになる（図２７参照）。これにより、キー入力部１ａと表示部２ａとが対面した状態で、第１ケース１と第２ケース２とが重なり合って折り畳まれた第１の閉状態であることを識別する。
【００６２】
また、図２（ｂ）に示したように、ヒンジ部３の第１回転軸４、５を中心に第１ケース１と第２ケース２とが補助ケース３ａと共に回転して４５°の角度に開くと、図２３に示すように、第２磁石３２が時計回りに回転して第２センサ３４から離れ、第１磁石３１が時計回りに回転して第２センサ３４に接近する。このときには、第１磁石３１が時計回りに４５°回転するので、第１磁石３１が４５°傾いて第２センサ３４に対応し、この第１磁石３１の磁力線の方向が４５°回転して第２センサ３４の検出面３４ａに対して垂直な状態になる。
【００６３】
このため、第２センサ３４が第１磁石３１の磁力線に反応してオンになる（図２７参照）。このときには、第２の磁石３２が第２センサ３４から離れて、第２センサ３４が第１、第２の磁石３１、３２のいずれの磁力線にも反応しないため、オフになる（図２７参照）。これにより、図２(ｂ)に示したように、キー入力部１ａと表示部２ａとが対面した状態で、第１ケース１と第２ケース２とが補助ケース３ａと共にヒンジ部３の第１回転軸４、５を中心に回転して４５°の角度に開いた第２の開状態であることを識別する。
【００６４】
また、図２（ｃ）に示したように、ヒンジ部３の第１回転軸４、５を中心に第１ケース１と第２ケース２とを更に回転させて約１６５°の角度に開くと、図２４に示すように、第１磁石３１と第２磁石３２とが補助ケース３ａと共に時計回りに回転して第１センサ３３と第２センサ３４とから十分に離れた位置に回転移動する。
【００６５】
このため、第１センサ３３は第１磁石３１と第２磁石３２とのいずれの磁力線にも反応せずに、オフになる（図２７参照）。また、第２センサ３４も第１磁石３１と第２磁石３２とのいずれの磁力線にも反応せずに、オフになる（図２７参照）。これにより、図２(ｃ)に示したように、第１ケース１と第２ケース２とが補助ケース３ａと共にヒンジ部３の第１回転軸４、５を中心に回転してほぼ１６５°の角度に開いた第３の全開状態であることを識別する。
【００６６】
さらに、図２（ｂ）に示したように、ヒンジ部３の第１回転軸４、５を中心に第１ケース１と第２ケース２とが補助ケース３ａと共に４５°開いた第２の開状態で、第２ケース２が補助ケース３ａに対してヒンジ部３の第２回転軸６を中心に１８０°回転し、これに伴って第２磁石３２のみが回転移動して、キー入力部１ａと表示部２ａとが対面せず、この後、図２(ｄ)に示したように、第２ケース２が補助ケース３ａと共にヒンジ部３の第１回転軸４、５を中心に回転して重ね合わされて折り畳まれると、図２５および図２６に示すように、第２磁石３２が第１、第２の各センサ３３、３４から離れ、第１磁石３１が第１センサ３３に接近して対応する。
【００６７】
このため、第１磁石３１の磁力線が第１センサ３３の検出面３３ａに対して垂直な状態になり、第１センサ３３が第１磁石３１の磁力線に反応してオンになる（図２７参照）。このときには、第２センサ３４が第１、第２の磁石３１、３２のいずれの磁力線にも反応せずにオフになる（図２７参照）。これにより、図２(ｄ)に示したように、キー入力部１ａと表示部２ａとが対面しない状態で、第１ケース１と第２ケース２とが補助ケース３ａと共に重なり合って折り畳まれた第４の逆閉状態であることを識別する。すなわち、第１、第２の各センサ３３、３４による検出状態が第１〜第４の各開閉状態ごとに異なっていることにより、第１〜第４の各開閉状態を識別することができる。
【００６８】
このように、この携帯電話機においても、ヒンジ部３の近傍に位置する箇所の第２ケース２の補助ケース３ａ内に設けられた第１磁石３１が対応したときにその磁力線に対し反応する第１センサ３３と、ヒンジ部３を中心に第１ケース１に対して第２ケース２が補助ケース３ａと共に回転して第１磁石３１の磁力線の向きが４５°傾いて変化したときにその変化した磁力線に対し反応する第２センサ３４とを、第１ケース１内に並べた状態で設けているので、実施形態１と同様、ヒンジ部３を通して第１、第２の各センサ３３、３４の一方の配線を第１ケース１と第２ケース２との両方に引き回す必要がなく、第１、第２の各センサ３３、３４を第１ケース１内で配線することができ、これにより第１、第２の各センサ３３、３４の配線作業の簡素化を図ることができる。
【００６９】
この場合にも、第２ケース２と共に回転するヒンジ部３の第２回転軸６に、第１磁石３１の磁力線に対して４５°傾いた磁力線を発生する第２磁石３２が、第１回転軸４、５を中心とする第１磁石３１の回転移動軌跡に対して対応する状態で設けられているので、第１の閉状態、第２の開状態、第３の全開状態、第４の逆閉状態の各状態を識別することができる。すなわち、第１磁石３１によって第１センサ３３がオンし、第２磁石３２によって第２センサ３４がオンしていることにより、キー入力部１ａと表示部２ａとが対面した状態で、第１ケース１と第２ケース２とが重なり合って折り畳まれた第１の閉状態であることを識別することができる。
【００７０】
また、第１センサ３３がオフで、第２センサ３４がオンしていることにより、キー入力部１ａと表示部２ａとが対面した状態で、第１ケース１と第２ケース２とがヒンジ部３の第１回転軸４、５を中心に回転して４５°の角度に開いた第２の開状態であることを識別することができる。このように第２ケース２が第１ケース１に対して４５°の角度に開いたときには、第１ケース１と第２ケース２とを１６５°の角度に開かずに、表示部２ａを垣間見ることがき、これにより速やかに時刻などの情報を見ることができるので、使い勝手が良い。
【００７１】
さらに、第１センサ３３がオフになり、第２センサ３４もオフになっていることにより、第１ケース１と第２ケース２とがヒンジ部３の第１回転軸４、５を中心に回転してほぼ１６５°の角度に開いた第３の全開状態であることを識別することができる。また、第１センサ３３がオンで、第２センサ３４がオフであることにより、キー入力部１ａと表示部２ａとが対面しない状態で、第１ケース１と第２ケース２とが補助ケース３ａと共に重なり合って折り畳まれた第４の逆閉状態であることを識別することができる。これにより、第１、第２の各センサ３３、３４による検出状態が第１〜第４の各開閉状態ごとに異なっているので、第１〜第４の各開閉状態を正確に識別することができる。
【００７２】
（実施形態４）
次に、図２８〜図３０を参照して、この発明を携帯電話機に適用した実施形態４について説明する。この場合にも、図１〜図１３に示された実施形態１と同一部分に、同一符号を付して説明する。
この携帯電話機は、図２８〜図３０に示すように、第３センサ４０を第１ケース１内に設けた構成であり、これ以外は実施形態１とほぼ同じ構成になっている。
【００７３】
この第３センサ４０は、検出面に対して垂直な磁力線に反応するホール素子からなっている。この第３センサ１３は、図２９に示すように、第１センサ１１と第２センサ１２とから離れた位置で、且つ第１ケース１と第２ケース２とがヒンジ部３の第２回転軸６を中心に１８０°の角度に回転してキー入力部１ａと表示部２ａとが対面しない状態のときに、第２磁石１２が対応する箇所の第１ケース１内に設けられて、第２磁石１２が接近して対応したときにその磁力線に反応するように構成されている。
【００７４】
すなわち、この第３センサ４０は、ヒンジ部３の第１回転軸４、５を中心に第１ケース１と第２ケース２とが補助ケース３ａと共に９０°の角度に開いた第２の開状態で、第２ケース２が補助ケース３ａに対してヒンジ部３の第２回転軸６を中心に１８０°回転し、これに伴って第２磁石のみが回転移動して、キー入力部１ａと表示部２ａとが対面しないときに、第２回転軸６を中心に回転移動した第２磁石１２が対応する箇所の第１ケース１内に設けられている。また、この第３センサ４０は、キー入力部１ａと表示部２ａとが対面しない状態で、第２ケース２が補助ケース３ａと共に第１ケース１に対して第１回転軸４、５を中心に回転して折り畳まれたときに、第２磁石１２が離れて対応しないように構成されている。
【００７５】
このような携帯電話機では、実施形態１と同様の作用があるほか、ヒンジ部３の第１回転軸４、５を中心に第１ケース１と第２ケース２とが補助ケース３ａと共に９０°の角度に開いた第２の開状態で、第２ケース２が補助ケース３ａに対してヒンジ部３の第２回転軸６を中心に１８０°回転し、これに伴って第２磁石１２のみが回転移動して、キー入力部１ａと表示部２ａとが対面しないときに、第２磁石１２が第３センサ４０に接近して対応するので、この第２磁石１２の磁力線に第３センサ４０が反応してオンになる（図３０参照）。
【００７６】
これにより、第１センサ１３と第２センサ１４とがオフになり、第３センサ４０のみがオンしたときに、第１ケース１と第２ケース２とが９０°の角度に開いた第２の開状態で、第２ケース２が補助ケース３ａに対しヒンジ部３の第２回転軸６を中心に１８０°回転して、キー入力部１ａと表示部２ａとが対面しない状態であることを識別する。
【００７７】
また、第１ケース１と第２ケース２とが９０°の角度に開いた第２の開状態で、キー入力部１ａと表示部２ａとが対面せずに、第２ケース２が補助ケース３ａと共に第１ケース１に対し第１回転軸４、５を中心に回転して折り畳まれた第４の逆閉状態のときに、第２磁石１２が第３センサ４０から離れて対応しないので、この第２磁石１２の磁力線に第３センサ４０が反応せずにオフになる（図３０参照）。このときには、第１磁石１１が第１センサ１３に対応して、第１センサ１３をオンにする（図３０参照）。これにより、第１センサ１３がオンになり、第２センサ１４がオフで、第３センサ４０もオフのときに、キー入力部１ａと表示部２ａとが対面しない状態で、第２ケース２が補助ケース３ａと共に第１ケース１に対して第１回転軸４、５を中心に回転して折り畳まれた第４の逆閉状態であることを識別する。
【００７８】
さらに、第３センサ４０は、キー入力部１ａと表示部２ａとが対面した状態で第１ケース１と第２ケース２とが互いに重なり合って折り畳まれた第１の閉状態、第１ケース１と第２ケース２とが補助ケース３ａと共に回転して９０°の角度に開いた第２の開状態、第１ケース１と第２ケース２とが回転して１６５°の角度に開いた第３の全開状態のときに、第１磁石１１と第２磁石１２とが離れた位置にあるため、第１〜第３の各状態ではオフ状態になる（図３０参照）。この場合にも、第１〜第３の各センサ１３、１４、４０による検出状態が第１〜第４の各開閉状態ごとに異なっている。
【００７９】
このように、この携帯電話機においても、第１センサ１１と第２センサ１２とのほかに、第１ケース１内に、第２磁石１２の磁力線に反応する第３センサ４０を、第１、第２の各センサ１３、１４から離れた位置で、ヒンジ部３の第２回転軸６を中心に第２磁石１２が回転移動する回転移動軌跡上に対応して設けているので、実施形態１と同様、ヒンジ部３を通して第１〜第３の各センサ１３、１４、４０のいずれかの配線を第１ケース１と第２ケース２との両方に引き回す必要がなく、第１〜第３の各センサ１３、１４、４０を第１ケース１内で配線することができ、これにより第３センサ４０を追加しても、第１〜第３の各センサ１３、１４、４０の配線作業の簡素化を図ることができる。
【００８０】
この場合にも、実施形態１と同様、第２ケース２の補助ケース３ａ内に第１磁石１１を設け、ヒンジ部３の第２回転軸６に第２磁石１２を設け、第１ケース１内に第１〜第３の各センサ１３、１４、４０を設けているので、第１の閉状態、第２の開状態、第３の全開状態、第４の逆閉状態の各状態を識別することができるほか、ヒンジ部３の第１回転軸４、５を中心に第１ケース１と第２ケース２とが９０°の角度に開いた第２の開状態で、第２ケース２が補助ケース３ａに対しヒンジ部３の第２回転軸６を中心に１８０°回転して、キー入力部１ａと表示部２ａとが対面しない状態をも識別することができる。
【００８１】
すなわち、第１磁石１１によって第１センサ１３がオンし、第２磁石１２によって第２センサ１４がオンし、第３センサ４０がオフになることにより、キー入力部１ａと表示部２ａとが対面した状態で、第１ケース１と第２ケース２とが重なり合って折り畳まれた第１の閉状態であることを識別することができる。また、第１センサ１３がオフで、第２センサ１４がオンで、第３センサ４０がオフになることにより、キー入力部１ａと表示部２ａとが対面した状態で、第１ケース１と第２ケース２とがヒンジ部３の第１回転軸４、５を中心に回転して９０°の角度に開いた第２の開状態であることを識別することができる。
【００８２】
また、第１センサ１３がオフになり、第２センサ１４もオフで、第３センサ４０もオフであることにより、第１ケース１と第２ケース２とがヒンジ部３の第１回転軸４、５を中心に回転してほぼ１６５°の角度に開いた第３の全開状態であることを識別することができる。また、第１センサ１３がオフになり、第２センサ１４もオフで、第３センサ４０がオンであることにより、ヒンジ部３の第１回転軸４、５を中心に第１ケース１と第２ケース２とが９０°の角度に開いた第２の開状態で、第２ケース２が補助ケース３ａに対しヒンジ部３の第２回転軸６を中心に１８０°回転して、キー入力部１ａと表示部２ａとが対面しない状態であることを識別することができる。
【００８３】
さらに、第１センサ１３がオンで、第２センサ１４がオフで、第３センサ４０もオフになることにより、キー入力部１ａと表示部２ａとが対面しない状態で、第１ケース１と第２ケース２とが互いに重なり合って折り畳まれた第４の逆閉状態であることを識別することができる。これにより、第１〜第３の各センサ１３、１４による検出状態が第１〜第４の各開閉状態ごとに異なっているので、第１〜第４の各開閉状態を確実に識別することができる。
【００８４】
なお、上記実施形態１〜４では、ヒンジ部３が、第１ケース１と第２ケース２とを折り畳み方向に回動させる第１回転軸４、５と、この第１回転軸４、５に対して直交する方向に回転する第２回転軸６と、第１回転軸４，５と第２回転軸６とを連結する連結部を備えた２軸ヒンジ構造である場合について述べたが、必ずしも２軸ヒンジ構造である必要はなく、第１ケース１と第２ケース２とを折り畳み方向に回動させる第１回転軸４、５のみを備えた１軸ヒンジ構造にも適用することができる。
【００８５】
この場合には、第１ケース１と第２ケース２とが重なり合って折り畳まれた状態で、第１回転軸４、５の近傍に位置する箇所の第２ケース２内に第１磁石１１を設け、この第１磁石１１の回転移動軌跡に対し対応する箇所の第１ケース１内に第１、第２のセンサ１３、１４を、第１磁石１１の回転移動軌跡に沿って所定間隔だけ離して設けた構成にすれば良い。
【００８６】
また、上記実施形態１〜４では、携帯電話機に適用した場合について述べたが、必ずしも携帯電話機である必要はなく、例えばＰＤＡ（パーソナル・デジタル・アシスタント）、ノート型のパソコン、ウェアラブルパソコン、カメラ、電卓、電子辞書などの各種の電子機器に広く適用することができる。
【図面の簡単な説明】
【００８７】
【図１】この発明を携帯電話機に適用した実施形態１において第１、第２の各ケースを全開にした状態を示した斜視図である。
【図２】図１の携帯電話機における第１〜第４の各開閉状態を示し、（ａ）は第１、第２の各ケースを重ね合わせて閉じた第１の閉状態を示した側面図、（ｂ）は第１、第２の各ケースを折り畳み方向に回転させて９０°の角度に開いた第２の開状態を示した側面図、（ｃ）は第１、第２の各ケースを更に回転させて約１６５°の角度に開いた第３の全開状態を示した側面図、（ｄ）はキー入力部と表示部とが対面しない状態で、第１、第２の各ケースを重ね合わせて閉じた第４の逆閉状態を示した側面図である。
【図３】図２（ａ）に示された携帯電話機の要部における内部構造を示した概略側面図である。
【図４】図３の携帯電話機の要部における内部構造を示した概略平面図である。
【図５】図４に示されたヒンジ部の拡大斜視図である。
【図６】図５のヒンジ部において第２回転軸の取付片に第２磁石を取り付ける状態を示した分解斜視図である。
【図７】図３および図４に示された第１、第２の各磁石における磁力線の発生方向を示した図である。
【図８】図７に示された第１、第２の各磁石の磁力線に反応する第１、第２の各センサを示し、（ａ）は第１センサを示した図、（ｂ）は第２センサを示した図である。
【図９】図２（ａ）の状態における第１、第２の各磁石と第１、第２の各センサとの対応関係を示した要部の拡大断面図である。
【図１０】図２（ｂ）の状態における第１、第２の各磁石と第１、第２の各センサとの対応関係を示した要部の拡大断面図である。
【図１１】図２（ｃ）の状態における第１、第２の各磁石と第１、第２の各センサとの対応関係を示した要部の拡大断面図である。
【図１２】図２（ｄ）の状態における第１、第２の各磁石と第１、第２の各センサとの対応関係を示した要部の拡大断面図である。
【図１３】図９〜図１２における第１、第２の各センサのオン・オフ状態を示した図である。
【図１４】この発明を携帯電話機に適用した実施形態２において第１、第２の各ケースを閉じた状態を示した要部の拡大断面図である。
【図１５】図１４に示された第１、第２の各磁石における磁力線の発生方向を示した図である。
【図１６】図１５に示された第１、第２の各磁石の磁力線に反応する第１、第２の各センサを示し、（ａ）は第１センサを示した図、（ｂ）は第２センサを示した図である。
【図１７】第１、第２の各ケースを回転されて９０°の角度に開いた第２の開状態における第１、第２の各磁石と第１、第２の各センサとの対応関係を示した要部の拡大断面図である。
【図１８】第１、第２の各ケースを回転されて１６５°の角度に開いた第３の全開状態における第１、第２の各磁石と第１、第２の各センサとの対応関係を示した要部の拡大断面図である。
【図１９】キー入力部と表示部とが対面しない状態で、第１、第２の各ケースを重ね合わせて閉じた第４の逆閉状態における第１、第２の各磁石と第１、第２の各センサとの対応関係を示した要部の拡大断面図である。
【図２０】この発明を携帯電話機に適用した実施形態３において第１、第２の各ケースを閉じた状態を示した要部の拡大断面図である。
【図２１】図２０に示された第１、第２の各磁石における磁力線の発生方向を示した図である。
【図２２】図２１に示された第１、第２の各磁石の磁力線に反応する第１、第２の各センサを示した図である。
【図２３】第１、第２の各ケースを回転されて４５°の角度に開いた第２の開状態における第１、第２の各磁石と第１、第２の各センサとの対応関係を示した要部の拡大断面図である。
【図２４】第１、第２の各ケースを回転されて１６５°の角度に開いた第３の全開状態における第１、第２の各磁石と第１、第２の各センサとの対応関係を示した要部の拡大断面図である。
【図２５】キー入力部と表示部とが対面しない状態で、第１、第２の各ケースを重ね合わせて閉じた第４の逆閉状態における第１、第２の各磁石と第１、第２の各センサとの対応関係を示した要部の拡大断面図である。
【図２６】図２５の状態において第１磁石が第２回転軸を中心に回転移動した状態を示した背面図である。
【図２７】図２０、図２３〜図２５における第１、第２の各センサのオン・オフ状態を示した図である。
【図２８】この発明を携帯電話機に適用した実施形態４において第１、第２の各ケースを閉じた状態における内部構造を示した概略側面図である。
【図２９】図２８の内部構造を示した概略背面図である。
【図３０】図２８および図２９において第１〜第３の各センサのオン・オフ状態を示した図である。
【符号の説明】
【００８８】
１  第１ケース
１ａ  キー入力部
２  第２ケース
２ａ  表示部
３  ヒンジ部
３ａ  補助ケース
４、５     
第１回転軸
６  第２回転軸
７  連結部
８、９  第１取付部
１０  第２取付部
１１、２１、３１  第１磁石
１２、２２、３２  第２磁石
１３、２３、３３  第１センサ
１３ａ、２３ａ、３３ａ  検出面
１４、２４、３４  第２センサ
１４ａ、２４ａ、３４ａ  検出面
４０  第３センサ
【図１】
2010087782.tif 000003
【図２】
2010087782.tif 000004
【図３】
2010087782.tif 000005
【図４】
2010087782.tif 000006
【図５】
2010087782.tif 000007
【図６】
2010087782.tif 000008
【図７】
2010087782.tif 000009
【図８】
2010087782.tif 000010
【図９】
2010087782.tif 000011
【図１０】
2010087782.tif 000012
【図１１】
2010087782.tif 000013
【図１２】
2010087782.tif 000014
【図１３】
2010087782.tif 000015
【図１４】
2010087782.tif 000016
【図１５】
2010087782.tif 000017
【図１６】
2010087782.tif 000018
【図１７】
2010087782.tif 000019
【図１８】
2010087782.tif 000020
【図１９】
2010087782.tif 000021
【図２０】
2010087782.tif 000022
【図２１】
2010087782.tif 000023
【図２２】
2010087782.tif 000024
【図２３】
2010087782.tif 000025
【図２４】
2010087782.tif 000026
【図２５】
2010087782.tif 000027
【図２６】
2010087782.tif 000028
【図２７】
2010087782.tif 000029
【図２８】
2010087782.tif 000030
【図２９】
2010087782.tif 000031
【図３０】
2010087782.tif 000032